(57)【要約】  本発明は、対象者を撮像するための磁気共鳴イメージングシステムの作動方法を提供する。この方法は、タグ付けパルスシーケンスコマンド１００を用いて、磁気共鳴イメージングシステムを制御することによって、タグ付き磁気共鳴データ６４２及びフィンガープリンティング磁気共鳴データの第１の部分６４４を取得するステップ７００を有する。タグ付けパルスシーケンスコマンドは、対象者内のタグ付け位置をスピンラベリングするための、タグ付け反転パルス部１０２を含む。タグ付けパルスシーケンスコマンドは、バックグラウンド抑制部１０４を含む。バックグラウンド抑制部は、磁気共鳴フィンガープリンティングプロトコルに従ってフィンガープリンティング磁気共鳴データを取得するための、ＭＲＦパルスシーケンスコマンドを含む。タグ付けパルスシーケンスコマンドは、画像取得部１０６を含む。この方法は、コントロールパルスシーケンスコマンドを用いて、磁気共鳴イメージングシステムを制御することによって、コントロール磁気共鳴データ６４６及びフィンガープリンティング磁気共鳴データの第２の部分６４８を取得するステップ７０２を有する。コントロールパルスシーケンスコマンドは、コントロール反転パルス部２０２を含む。コントロールパルスシーケンスコマンドは、バックグラウンド抑制部１０４’を含む。コントロールパルスシーケンスコマンドは、画像取得部１０６を含む。この方法は、タグ付き磁気共鳴データを使用して、タグ付きマグニチュード画像６５０を再構成するステップ７０４を有する。この方法は、コントロール磁気共鳴データを使用して、コントロールマグニチュード画像６５２を再構成するステップ７０６を有する。この方法は、コントロールマグニチュード画像とタグ付きマグニチュード画像とを互いから減算することによって、ＡＳＬ画像を構成するステップ７０８を有する。この方法は、フィンガープリンティング磁気共鳴データの第１の部分及び／又はフィンガープリンティング磁気共鳴データの第２の部分を使用して、一連の磁気共鳴フィンガープリンティング画像６５６を再構成するステップ７１０を有する。この方法は、一連の磁気共鳴フィンガープリンティング画像を磁気共鳴フィンガープリンティング辞書と比較することによって、少なくとも１つの磁気共鳴パラメトリックマップ６５８を生成するステップ７１２を有する。
2019534748.tif 000002
【特許請求の範囲】
【請求項１】
対象者を撮像するための磁気共鳴イメージングシステムであって、前記磁気共鳴イメージングシステムは、機械実行可能命令を格納するためのメモリと、前記磁気共鳴イメージングシステムを制御するためのプロセッサとを備え、
前記メモリは更に、タグ付けパルスシーケンスコマンド及びコントロールパルスシーケンスコマンドを含み、前記タグ付けパルスシーケンスコマンドは、前記対象者内のタグ付け位置をスピンラベリングするための、タグ付け反転パルス部を含み、前記タグ付けパルスシーケンスコマンドは、バックグラウンド抑制部を含み、前記バックグラウンド抑制部は、磁気共鳴フィンガープリンティングプロトコルに従ってフィンガープリンティング磁気共鳴データを取得するための、ＭＲＦパルスシーケンスコマンドを含み、前記タグ付けパルスシーケンスコマンドは、画像取得部を含み、前記コントロールパルスシーケンスコマンドは、コントロール反転パルス部を含み、前記コントロールパルスシーケンスコマンドは、前記バックグラウンド抑制部を含み、前記コントロールパルスシーケンスコマンドは、前記画像取得部を含み、
前記機械実行可能命令の実行により、前記プロセッサは、
前記タグ付けパルスシーケンスコマンドを用いて、前記磁気共鳴イメージングシステムを制御することによって、タグ付き磁気共鳴データ及び前記フィンガープリンティング磁気共鳴データの第１の部分を取得することと、
前記コントロールパルスシーケンスコマンドを用いて、前記磁気共鳴イメージングシステムを制御することによって、コントロール磁気共鳴データ及び前記フィンガープリンティング磁気共鳴データの第２の部分を取得することと、
前記タグ付き磁気共鳴データを使用して、タグ付きマグニチュード画像を再構成することと、
前記コントロール磁気共鳴データを使用して、コントロールマグニチュード画像を再構成することと、
前記コントロールマグニチュード画像と前記タグ付きマグニチュード画像とを、互いから減算することによって、ＡＳＬ画像を構成することと、
前記フィンガープリンティング磁気共鳴データの前記第１の部分、及び／又は前記フィンガープリンティング磁気共鳴データの前記第２の部分を使用して、一連の磁気共鳴フィンガープリンティング画像を再構成することと、
一連の前記磁気共鳴フィンガープリンティング画像と、磁気共鳴フィンガープリンティング辞書とを比較することによって、少なくとも１つの磁気共鳴パラメトリックマップを生成することと
を実行する、磁気共鳴イメージングシステム。
【請求項２】
前記バックグラウンド抑制部は更に、バックグラウンド抑制パルスシーケンスコマンドを含む、請求項１に記載の磁気共鳴イメージングシステム。
【請求項３】
前記バックグラウンド抑制部は、前記バックグラウンド抑制パルスシーケンスコマンドの領域と、前記ＭＲＦパルスシーケンスコマンドの少なくとも１つの領域とに、離散的に分割される、請求項２に記載の磁気共鳴イメージングシステム。
【請求項４】
前記タグ付けパルスシーケンスコマンド及び前記コントロールパルスシーケンスコマンドは、前記ＭＲＦパルスシーケンスコマンドの少なくとも１つの前記領域の最後の部分と、前記画像取得部との間の遅延を含む、請求項３に記載の磁気共鳴イメージングシステム。
【請求項５】
前記ＭＲＦパルスシーケンスコマンドは、フリップ角部分を含む、請求項１乃至４のいずれか一項に記載の磁気共鳴イメージングシステム。
【請求項６】
前記タグ付けパルスシーケンスコマンドの前記ＭＲＦパルスシーケンスコマンドにおける前記フリップ角部分と、前記コントロールパルスシーケンスコマンドの前記ＭＲＦパルスシーケンスコマンドとは、同一である、請求項５に記載の磁気共鳴イメージングシステム。
【請求項７】
前記フリップ角部分は、１０度、８度、７度、６度、及び５度のうちのいずれか１つの角度未満のフリップ角を生成する、請求項５又は６に記載の磁気共鳴イメージングシステム。
【請求項８】
前記少なくとも１つの磁気共鳴パラメトリックマップは、血管造影データを含む、請求項１に記載の磁気共鳴イメージングシステム。
【請求項９】
前記タグ付けパルスシーケンスコマンドの前記ＭＲＦパルスシーケンスコマンドは、第１の勾配エンコード部分を含み、前記コントロールパルスシーケンスコマンドの前記ＭＲＦパルスシーケンスコマンドは、第２の勾配エンコード部分を含み、前記第１の勾配エンコード部分及び前記第２の勾配エンコード部分は、ｋ空間の同一部分をエンコードする、請求項１乃至８のいずれか一項に記載の磁気共鳴イメージングシステム。
【請求項１０】
前記機械実行可能命令の実行により、前記プロセッサは更に、前記フィンガープリンティング磁気共鳴データの前記第１の部分と、前記フィンガープリンティング磁気共鳴データの前記第２の部分との対応する要素を平均化することによって、平均磁気共鳴データを計算し、一連の前記磁気共鳴フィンガープリンティング画像は、前記平均磁気共鳴データを用いて再構成される、請求項９に記載の磁気共鳴イメージングシステム。
【請求項１１】
前記タグ付けパルスシーケンスコマンドの前記ＭＲＦパルスシーケンスコマンドは、第１の勾配エンコード部分を含み、前記コントロールパルスシーケンスコマンドの前記ＭＲＦパルスシーケンスコマンドは、第２の勾配エンコード部分を含み、前記第１の勾配エンコード部分及び前記第２の勾配エンコード部分は、ｋ空間のインターリーブ部分をエンコードする、請求項１乃至８のいずれか一項に記載の磁気共鳴イメージングシステム。
【請求項１２】
前記ＡＳＬ画像は、脳血流マップを含み、前記磁気共鳴フィンガープリンティング辞書は、脳血流の関数であり、前記機械実行可能命令の実行により、前記プロセッサは、前記少なくとも１つの磁気共鳴パラメトリックマップの決定中に、前記脳血流マップを使用して、前記脳血流を前記磁気共鳴フィンガープリンティング辞書に提供する、請求項１乃至１１のいずれか一項に記載の磁気共鳴イメージングシステム。
【請求項１３】
前記少なくとも１つの磁気共鳴パラメトリックマップは、Ｔ２マップ、Ｔ１マップ、ＭＴＴマップ、及びこれらの組み合わせのうちのいずれか１つを含む、請求項１２に記載の磁気共鳴イメージングシステム。
【請求項１４】
磁気共鳴イメージングシステムを制御するプロセッサによって実行される、機械実行可能命令を含む、コンピュータプログラムであって、前記機械実行可能命令の実行により、前記プロセッサは、
タグ付けパルスシーケンスコマンドを用いて、前記磁気共鳴イメージングシステムを制御することによって、タグ付き磁気共鳴データ及びフィンガープリンティング磁気共鳴データの第１の部分を取得することであって、前記タグ付けパルスシーケンスコマンドは、対象者内のタグ付け位置をスピンラベリングするための、タグ付け反転パルス部を含み、前記タグ付けパルスシーケンスコマンドは、バックグラウンド抑制部を含み、前記バックグラウンド抑制部は、磁気共鳴フィンガープリンティングプロトコルに従って、前記フィンガープリンティング磁気共鳴データを取得するための、ＭＲＦパルスシーケンスコマンドを含み、前記タグ付けパルスシーケンスコマンドは、画像取得部を含む、取得することと、
コントロールパルスシーケンスコマンドを用いて、前記磁気共鳴イメージングシステムを制御することによって、コントロール磁気共鳴データ及び前記フィンガープリンティング磁気共鳴データの第２の部分を取得することであって、前記コントロールパルスシーケンスコマンドは、コントロール反転パルス部を含み、前記コントロールパルスシーケンスコマンドは、前記バックグラウンド抑制部を含み、前記コントロールパルスシーケンスコマンドは、前記画像取得部を含む、取得することと、
前記タグ付き磁気共鳴データを使用して、タグ付きマグニチュード画像を再構成することと、
前記コントロール磁気共鳴データを使用して、コントロールマグニチュード画像を再構成することと、
前記コントロールマグニチュード画像と前記タグ付きマグニチュード画像とを、互いから減算することによって、ＡＳＬ画像を構成することと、
前記フィンガープリンティング磁気共鳴データの前記第１の部分、及び／又は前記フィンガープリンティング磁気共鳴データの前記第２の部分を使用して、一連の磁気共鳴フィンガープリンティング画像を再構成することと、
一連の前記磁気共鳴フィンガープリンティング画像と、磁気共鳴フィンガープリンティング辞書とを比較することによって、少なくとも１つの磁気共鳴パラメトリックマップを生成することと
を実行する、コンピュータプログラム。
【請求項１５】
対象者を撮像するための磁気共鳴イメージングシステムの作動方法であって、前記方法は、
タグ付けパルスシーケンスコマンドを用いて、前記磁気共鳴イメージングシステムを制御することによって、タグ付き磁気共鳴データ及びフィンガープリンティング磁気共鳴データの第１の部分を取得するステップであって、前記タグ付けパルスシーケンスコマンドは、前記対象者内のタグ付け位置をスピンラベリングするための、タグ付け反転パルス部を含み、前記タグ付けパルスシーケンスコマンドは、バックグラウンド抑制部を含み、前記バックグラウンド抑制部は、磁気共鳴フィンガープリンティングプロトコルに従って、前記フィンガープリンティング磁気共鳴データを取得するための、ＭＲＦパルスシーケンスコマンドを含み、前記タグ付けパルスシーケンスコマンドは、画像取得部を含む、取得するステップと、
コントロールパルスシーケンスコマンドを用いて、前記磁気共鳴イメージングシステムを制御することによって、コントロール磁気共鳴データ及び前記フィンガープリンティング磁気共鳴データの第２の部分を取得するステップであって、前記コントロールパルスシーケンスコマンドは、コントロール反転パルス部を含み、前記コントロールパルスシーケンスコマンドは、前記バックグラウンド抑制部を含み、前記コントロールパルスシーケンスコマンドは、前記画像取得部を含む、取得するステップと、
前記タグ付き磁気共鳴データを使用して、タグ付きマグニチュード画像を再構成するステップと、
前記コントロール磁気共鳴データを使用して、コントロールマグニチュード画像を再構成するステップと、
前記コントロールマグニチュード画像と前記タグ付きマグニチュード画像とを、互いから減算することによって、ＡＳＬ画像を構成するステップと、
前記フィンガープリンティング磁気共鳴データの前記第１の部分、及び／又は前記フィンガープリンティング磁気共鳴データの前記第２の部分を使用して、一連の磁気共鳴フィンガープリンティング画像を再構成するステップと、
一連の前記磁気共鳴フィンガープリンティング画像と、磁気共鳴フィンガープリンティング辞書とを比較することによって、少なくとも１つの磁気共鳴パラメトリックマップを生成するステップと
を有する、方法。
【発明の詳細な説明】
【技術分野】
【０００１】
本発明は、磁気共鳴イメージングに関し、詳細には、動脈スピンラベリング及び磁気共鳴フィンガープリンティングの両方に関する。
【背景技術】
【０００２】
磁気共鳴フィンガープリンティング（ＭＲＦ：Ｍａｇｎｅｔｉｃ  Ｒｅｓｏｎａｎｃｅ  ｆｉｎｇｅｒｐｒｉｎｔｉｎｇ）は、適切な勾配の切替に多くの場合関連し、時間的に分散した、複数のＲＦパルスを適用して、様々な物質又は組織からの信号を、測定される磁気共鳴（ＭＲ）信号へ固有に寄与させる技法である。大きな組の、又は一定数の物質からの、予め計算された信号が寄与する辞書（ｄｉｃｔｉｏｎａｒｙ）が、各単一ボクセル内の測定されたＭＲ信号と比較される。更にまた、各ボクセル内の組成も更に決定することができる。例えば、ボクセルが灰白質、白質、ＣＳＦ、又は脂肪のみを含むことが分かっている場合、これら３つの物質からの寄与は、ボクセルの組成を正確に決定するために考慮されるだけでよい。より高い解像度を有するより大きな辞書が使用される場合、ＭＲフィンガープリンティングは、ボクセルの異なる組織のパラメータ（Ｔ１、Ｔ２など）を、同時に且つ定量的に決定するために使用され得る。
【０００３】
磁気共鳴フィンガープリンティングの技法は、雑誌の記事である、Ｎａｔｕｒｅ第４９５巻、第１８７〜１９３頁、ｄｏｉ１０．１０３８／ｎａｔｕｒｅ１１９７１、Ｍａ等の「Ｍａｇｎｅｔｉｃ  Ｒｅｓｏｎａｎｃｅ  Ｆｉｎｇｅｒｐｒｉｎｔｉｎｇ」で紹介された。磁気フィンガープリンティングの技法はまた、米国特許出願公開第２０１３／０２７１１３２Ａ１号及び第２０１３／０２６５０４７Ａ１号に記載されている。磁気共鳴イメージング（ＭＲＩ）スキャナは、患者の体内の画像を生成するための手順の一部として、原子の核スピンを整列させるために、大きな静磁場を使用する。この大きな静磁場は、Ｂ０磁場と呼ばれる。
【０００４】
ＭＲＩスキャンの間、１つ又は複数の送信機コイルによって生成された無線周波数（ＲＦ）パルスは、Ｂ１磁場と呼ばれる磁場を引き起こす。追加的に印加された勾配磁場及びＢ１磁場は、効果的な局所磁場への摂動を引き起こす。次いで、ＲＦ信号が核スピンによって放出され、１つ又は複数の受信機コイルによって検出される。このＲＦ信号は、ＭＲ画像を構成するために使用される。これらのコイルはまた、アンテナとも呼ばれ得る。
【０００５】
ＭＲＩスキャナは、スライス又はボリュームのいずれかの画像を構成することができる。スライスは、わずか１ボクセルの厚さである、薄いボリュームである。ボクセルは、ＭＲ信号が平均化される小さいボリューム要素であり、ＭＲ画像の解像度を表す。単一のスライスが考慮される場合、ボクセルは本明細書ではピクセル（画素）とも呼ばれる。
【０００６】
（パルスシーケンス又はパルスシーケンスコマンドとして実施される）様々な磁気共鳴イメージングプロトコルを実行することによって、対象者に関する様々な種類の情報を測定することができる。例えば、流体の流れ又は拡散を直接測定することができるように、スピンをエンコードすることを可能にする、様々な技法がある。動脈スピンタグ付けは、一群の動脈を通過する血液のスピン、又は単一の動脈を通過する血液のスピンさえも、磁気的にラベリングし、次いで画像化することができる技法である。参考図書である、Ｅｌｓｅｖｉｅｒ、２００４、ＩＳＢＮ９７８−０−１２−０９２８６１−３、Ｂｅｒｎｓｔｅｉｎ等の「Ｈａｎｄｂｏｏｋ  ｏｆ  ＭＲＩ  Ｐｕｌｓｅ  Ｓｅｑｕｅｎｃｅｓ」（以後「Ｈａｎｄｂｏｏｋ  ｏｆ  ＭＲＩ  Ｐｕｌｓｅ  Ｓｅｑｕｅｎｃｅｓ」）の第１７．１節（第８０２〜８２９頁）の説明では、いくつかの相異なる動脈スピンタグ付けの技法の概説を提供している。
【発明の概要】
【発明が解決しようとする課題】
【０００７】
本発明は、独立請求項において、磁気共鳴（ＭＲ）イメージングシステム、コンピュータプログラムプロダクト、及び方法を提供する。実施形態が従属請求項において与えられる。
【課題を解決するための手段】
【０００８】
動脈スピンラベリング（ＡＳＬ：Ａｒｔｅｒｉａｌ  Ｓｐｉｎ  Ｌａｂｅｌｉｎｇ）磁気共鳴イメージング中に、タグ付け位置内の血中水分プロトンのボーラスが、磁気的にラベリングされる。典型的には、ボーラスが関心領域へ、又は関心領域を通って移動することを可能にするために、遅延がある。タグ付き血液が関心領域を通って流れるときに、タグ付き血液をより良く撮像するために、遅延の間に関心領域に対してバックグラウンド抑制が実施される。その遅延後に、磁気共鳴データが取得される。実施形態は、遅延（及びバックグラウンド抑制）中に、磁気共鳴フィンガープリンティングイメージングプロトコルを実行することによって、ＡＳＬのＭＲプロトコル中に利用可能なデータの量及び種類を拡大する。比較的小さい（バックグラウンド抑制に使用されるよりも小さい）フリップ角を磁気共鳴フィンガープリンティングプロトコルに使用することができ、その結果磁気共鳴フィンガープリンティングを実行する影響は、バックグラウンド抑制に及ぼす影響を無視できる程度である。磁気共鳴フィンガープリンティングの追加は、場合によっては、ＡＳＬイメージングプロトコルを実行するのに必要な時間の増加をもたらさない。
【０００９】
追加の情報を提供することに加えて、ある実施形態はまた、ＭＲフィンガープリンティングの品質を改善するために、ＡＳＬの結果を使用する。例えば、ＡＳＬプロトコルは、脳血流マップを生成するために使用される。ＭＲＦを使用して特定のボクセルを分析するとき、脳血流マップは、特定のボクセルに対する血流値を決定するために使用される。ＭＲフィンガープリンティング辞書は、特定の血流値及び／又は血流値の範囲にカスタマイズされる。これにより、より正確なＭＲＦがもたらされる。
【００１０】
Ｍａ等によるＮａｔｕｒｅの記事は、磁気共鳴フィンガープリンティングの基本概念、及び辞書など、この技法を説明するために使用される用語法を紹介しており、辞書は本明細書では、「定常状態磁気共鳴フィンガープリンティング辞書」又は「過渡共鳴フィンガープリンティング辞書」と呼ばれる。用語「辞書」は、単独で、磁気共鳴フィンガープリンティング辞書を指すことを理解されたい。
【００１１】
一態様では、本発明は、対象者を撮像するための磁気共鳴イメージングシステムを提供する。磁気共鳴イメージングシステムは、機械実行可能命令を格納するためのメモリを備える。メモリは更に、タグ付けパルスシーケンスコマンド及びコントロールパルスシーケンスコマンドを含む。本明細書で使用されるパルスシーケンスコマンドは、磁気共鳴イメージングシステムを制御して磁気共鳴データを取得するために使用されるコマンドに、変換又はコンパイルされる、コマンド又はデータを包含する。パルスシーケンスコマンドに関するタグ付け及びコントロールという用語は、２つの異なるセットのパルスシーケンスコマンドを区別するためのラベルとして使用される。
【００１２】
タグ付けパルスシーケンスコマンド及びコントロールパルスシーケンスコマンドは、Ｈａｎｄｂｏｏｋ  ｏｆ  ＭＲＩ  Ｐｕｌｓｅ  Ｓｅｑｕｅｎｃｅｓの第１７．１節に記載されているように、動脈スピンタグ付けに使用される。タグ付け反転パルス部は、１つ又は複数の動脈を通って移動している、血液のボーラスをラベリングするために使用される。タグ付け反転パルス部は、タグ付けパルスシーケンスコマンドを使用して取得された磁気共鳴データから計算されたマグニチュード画像において、可視化されるイメージングボリュームにおける磁化移動効果をもたらす。コントロール反転パルス部は、タグ付け反転パルス部によって引き起こされる磁化移動効果と同程度又はほぼ同程度の磁化移動効果をもたらすように構成される。
【００１３】
タグ付けパルスシーケンスコマンドは、対象者内のタグ付け位置をスピンラベリングするための、タグ付け反転パルス部を含む。タグ付けパルスシーケンスコマンドは、バックグラウンド抑制部を含む。バックグラウンド抑制部は、磁気共鳴フィンガープリンティングプロトコルに従ってフィンガープリンティング磁気共鳴データを取得するための、磁気共鳴フィンガープリンティングパルスシーケンスコマンドを含む。タグ付けパルスシーケンスコマンドは、画像取得部を含む。タグ付けパルスシーケンスコマンド及びコントロールパルスシーケンスコマンドは、動脈スピンラベリング画像用の磁気共鳴データを取得するためにも、また動脈スピンラベリング画像を構成するためにも使用される。コントロールパルスシーケンスコマンドは、コントロール反転パルス部を含む。
【００１４】
コントロールパルスシーケンスコマンドは、バックグラウンド抑制部を含む。コントロールパルスシーケンスコマンドは、画像取得部を含む。タグ付けパルスシーケンスコマンド及びコントロールパルスシーケンスコマンドは、標準的な技法を用いて、ＡＳＬ、すなわち動脈スピンラベリング画像の構成用に使用される、磁気共鳴データを取得するために使用される。しかし、バックグラウンド抑制部は、バックグラウンド抑制部に追加される、追加の磁気共鳴フィンガープリンティングパルスシーケンスコマンドがあるという点が、変更されている。これにより、動脈スピンラベリングが実行されるのと同時に、磁気共鳴フィンガープリンティングを実行することが可能になる。
【００１５】
タグ付け反転パルス部及びコントロール反転パルス部は、バックグラウンド抑制部の前に実行される。バックグラウンド抑制部は、画像取得部の前に実行される。
【００１６】
磁気共鳴イメージングシステムは、磁気共鳴イメージングシステムを制御するためのプロセッサを更に備える。機械実行可能命令の実行により、プロセッサは、タグ付けパルスシーケンスコマンドを用いて、磁気共鳴イメージングシステムを制御することによって、タグ付き磁気共鳴データ及びフィンガープリンティング磁気共鳴データの第１の部分を取得する。フィンガープリンティング磁気共鳴データの第１の部分は、バックグラウンド抑制部が実行されたときに取得される。タグ付き磁気共鳴データは、タグ付けパルスシーケンスコマンドの画像取得部が実行されるときに取得される。
【００１７】
機械実行可能命令の実行により、プロセッサは更に、コントロールパルスシーケンスコマンドを用いて、磁気共鳴イメージングシステムを制御することによって、コントロール磁気共鳴データ及びフィンガープリンティング磁気共鳴データの第２の部分を取得する。コントロール磁気共鳴データは、タグ付けパルスシーケンスコマンドの画像取得部が実行されるときに取得される。フィンガープリンティング磁気共鳴データの第２の部分は、タグ付けパルスシーケンスコマンドのバックグラウンド抑制部が実行されたときに取得される。タグ付き磁気共鳴データ及びコントロール磁気共鳴データは、従来の動脈スピンラベリングプロトコルで通常取得されるデータを表す。フィンガープリンティング磁気共鳴データの第１の部分及びフィンガープリンティング磁気共鳴データの第２の部分は、磁気共鳴フィンガープリンティングパルスシーケンスコマンドをバックグラウンド抑制部に追加することによって、追加的に取得されるデータを表す。機械実行可能命令の実行により、プロセッサは更に、タグ付き磁気共鳴データを使用して、タグ付きマグニチュード画像を再構成する。
【００１８】
機械実行可能命令の実行により、プロセッサは更に、コントロール磁気共鳴データを使用して、コントロールマグニチュード画像を再構成する。機械実行可能命令の実行により、プロセッサは更に、コントロールマグニチュード画像とタグ付きマグニチュード画像とを互いから減算することによって、ＡＳＬ、すなわち動脈スピンラベリング画像を構成する。
【００１９】
機械実行可能命令の実行により、プロセッサは更に、フィンガープリンティング磁気共鳴データの第１の部分及び／又はフィンガープリンティング磁気共鳴データの第２の部分を使用して、一連の磁気共鳴フィンガープリンティング画像を再構成する。磁気共鳴フィンガープリンティングにおいて、一連の画像が構成される。次いで、一連の画像全体にわたって、特定のボクセルの値が辞書と比較され、その特定のボクセルの物質特性又は固有の特性のいずれかが推測される。例えば、白質又は灰白質の割合を、特定のボクセル内で調べることができる。或いは、様々な緩和時間や他の特性などの、他の値を調べることができる。一連の磁気共鳴フィンガープリンティング画像の再構成に当たっては、フィンガープリンティング磁気共鳴データの第１の部分及びフィンガープリンティング磁気共鳴データの第２の部分が使用され得る、様々なやり方がある。例えば、磁気共鳴フィンガープリンティングパルスシーケンスコマンドが、フィンガープリンティング磁気共鳴データの第１の部分と第２の部分との両方の中で同一である場合、その２つは平均化される。
【００２０】
他の例では、第１の部分と第２の部分とによってサンプリングされるｋ空間は、わずかに異なる。この場合、取得した対応するｋ空間データは、合成される。他の例では、ｋ空間のサンプリングもまた異なり、第１の部分は一連の画像の第１の部分を構成するために使用され、第２の部分は磁気共鳴フィンガープリンティング画像の第２の部分を構成するために使用される。これにより、第１の部分又は第２の部分のみが使用される場合に存在するであろう、より大きな一連の画像がもたらされる。他の例では、フィンガープリンティング磁気共鳴データの第１の部分又は第２の部分のうちのどちらか１つだけを使用することによって、一連の磁気共鳴フィンガープリンティング画像は、使用される。したがって、フィンガープリンティング磁気共鳴データの第１の部分及びフィンガープリンティング磁気共鳴データの第２の部分が使用される、様々な異なるやり方がある。
【００２１】
機械実行可能命令の実行により、プロセッサは更に、一連の磁気共鳴フィンガープリンティング画像を磁気共鳴フィンガープリンティング辞書と比較することによって、少なくとも１つの磁気共鳴パラメトリックマップを生成する。パラメトリックマップは、例えば、ある固有のパラメータの２次元又は３次元マッピングである。これは、例えば、ある化合物の濃度、脂肪の分画、又はＴ１、Ｔ２若しくは他の値などの物理的特性である。ある例では、磁気共鳴パラメトリックマップをＡＳＬ画像と組み合わせて、動脈スピンラベリングからのデータだけでなく、少なくとも１つの磁気共鳴パラメトリックマップに含まれる追加情報もまた表示する、合成画像が生成される。
【００２２】
この実施形態では、動脈スピンラベリング画像だけでなく、磁気共鳴パラメトリックマップもまた同時に取得することが可能であるため、有益である。これにより、医療従事者に向けたより良い診断情報が提供される。それはまた、動脈スピンラベリング画像と磁気共鳴フィンガープリンティングから得られたデータとの、より正確な相関関係を取得又は提供する。それはまた、動脈スピンラベリング画像及び磁気共鳴フィンガープリンティングから得られるデータの両方が同時に取得されるので、両方のデータ様式の取得を促進する。一方が他方の後に順に取得され、次いで後に他方の画像に位置合せされる必要はない。
【００２３】
別の実施形態では、バックグラウンド抑制部は、バックグラウンド抑制パルスシーケンスコマンドを更に含む。バックグラウンド抑制パルスシーケンスコマンドは、動脈スピンラベリングイメージングプロトコルにおいて一般的であるものと同様で、バックグラウンド抑制を形成するために使用されるコマンドである。
【００２４】
バックグラウンド抑制パルスシーケンスコマンドは、一般的には大きなフリップ角として説明されるものを使用する。フリップ角は、例えば典型的には、１５０°を超え約１８０°までである。これらは、動脈スピンラベリングプロトコルにおいて、バックグラウンド抑制を実行するために使用される。
【００２５】
別の実施形態では、バックグラウンド抑制部は、バックグラウンド抑制パルスシーケンスコマンドの領域と磁気共鳴パルスシーケンスコマンドの少なくとも１つの領域とに、離散的に分割される。場合によっては、バックグラウンド抑制パルスシーケンスコマンドは、磁気共鳴フィンガープリンティング中に使用されない。例えば、磁気共鳴フィンガープリンティングパルスシーケンスコマンドのフリップ角を、１つのパルスの繰り返しから次のパルスの繰り返しまで滑らかに変化させることは、磁気共鳴フィンガープリンティング辞書において、より正確に表され得る、磁気共鳴フィンガープリンティングデータを提供するのに有益である。
【００２６】
別の実施形態では、バックグラウンド抑制パルスシーケンスコマンドは、磁気共鳴フィンガープリンティングパルスシーケンスコマンドに組み込まれる。次いで、バックグラウンド抑制パルスシーケンスコマンドの比較的大きなフリップ角が、比較的小さいフリップ角を有する磁気共鳴フィンガープリンティングパルスシーケンスコマンドと共に、追加で使用される。これは、磁気共鳴フィンガープリンティングの技法にとって有用である、より多くのデータを提供するという利点を有する。バックグラウンド抑制パルスシーケンスコマンドにおけるＴ１又はＴ２の値のエンコードは、Ｔ１又はＴ２の値のより正確な測定をもたらす。
【００２７】
別の実施形態では、タグ付けパルスシーケンスコマンド及びコントロールパルスシーケンスコマンドは、磁気共鳴フィンガープリンティングパルスシーケンスコマンドの少なくとも１つの領域の最後と、画像取得部との間の遅延を含む。この場合、磁気共鳴フィンガープリンティングは停止されるか、又は動脈スピンラベリングの画像取得部の前に遅延がある。これは、動脈スピンラベリング磁気共鳴データの取得に対する、磁気共鳴フィンガープリンティングのいかなる影響も低減するという効果を有する。
【００２８】
別の実施形態では、磁気共鳴フィンガープリンティングパルスシーケンスコマンドは、フリップ角部分を含む。
【００２９】
別の実施形態では、タグ付けパルスシーケンスコマンドのＭＲＦパルスシーケンスコマンドにおけるフリップ角部分と、コントロールパルスシーケンスコマンドのＭＲＦパルスシーケンスコマンドとは、同一である。これは、より高品質のＡＳＬ画像を再構成する、タグ付き磁気共鳴画像及びコントロール磁気共鳴画像を提供するという利点をもつ。ある例では、フリップ角部分は同一であるが、磁気共鳴フィンガープリンティングデータの第１の部分及び第２の部分において取得されたｋ空間データが、異なるか又はインターリーブされるように、勾配が修正される。
【００３０】
別の実施形態では、フリップ角部分は、１０°、８°、７°、６°、及び５°のうちのいずれか１つの角度未満のフリップ角を生成するように構成される。これらの値未満のフリップ角を使用すると、磁気共鳴フィンガープリンティングが、バックグラウンド抑制に影響を与える機会が減少するので、有益である。
【００３１】
別の実施形態では、少なくとも１つの磁気共鳴パラメトリックマップは、血管造影データを含む。血管造影データは、対象者の血管の解剖学的構造を示す画像を含む。
【００３２】
別の実施形態では、タグ付けパルスシーケンスコマンドのＭＲＦパルスシーケンスコマンドは、第１の勾配エンコード部分を含む。コントロールパルスシーケンスコマンドのＭＲＦパルスシーケンスコマンドは、第２の勾配エンコード部分を含む。第１の勾配エンコード部分及び第２の勾配エンコード部分は、ｋ空間の同一部分をエンコードする。この実施形態は、タグ付けパルスシーケンスコマンドのバックグラウンド抑制部と、コントロールパルスシーケンスコマンドのバックグラウンド抑制部とが同一であるので、有益である。これにより、より再現性のある結果が得られる。他の潜在的な利点は、フィンガープリンティング磁気共鳴データの第１の部分を用いて取得されたｋ空間のサンプルが、フィンガープリンティング磁気共鳴データの第２の部分と合成される、又は平均化されることである。これは、ノイズアーティファクトの減少をもたらす。
【００３３】
別の実施形態では、機械実行可能命令の実行により、プロセッサは更に、フィンガープリンティング磁気共鳴データの第１の部分と、フィンガープリンティング磁気共鳴データの第２の部分との対応する要素を平均化することによって、平均磁気共鳴データを計算する。一連の磁気共鳴フィンガープリンティング画像は、平均化された磁気共鳴データを用いて再構成される。フィンガープリンティング磁気共鳴データの第１の部分と第２の部分との平均化により、一連の磁気共鳴フィンガープリンティング画像におけるノイズ又はノイズアーティファクトの量が減少する。
【００３４】
別の実施形態では、タグ付けパルスシーケンスコマンドのＭＲＦパルスシーケンスコマンドは、第１の勾配エンコード部分を含む。コントロールパルスシーケンスコマンドのＭＲＦパルスシーケンスコマンドは、第２の勾配エンコード部分を含む。第１の勾配エンコード部分及び第２の勾配エンコード部分は、ｋ空間のインターリーブ部分をエンコードする。この実施形態は、改善された画質をもたらす、ｋ空間のサンプリングの増加を提供するので有益である。
【００３５】
別の実施形態では、第１の勾配エンコード部分は、ｋ空間で螺旋状に、ｋ空間で半径方向に、及びデカルトｋ空間におけるうちのいずれか１つによる、エンコード様式を使用して、フィンガープリンティング磁気共鳴データの第１の部分をエンコードする。第２の勾配エンコード部分は、そのエンコード様式を使用して、フィンガープリンティング磁気共鳴データの第２の部分をエンコードする。この実施形態は、第１の勾配エンコード部分及び第２の勾配エンコード部分が、ｋ空間のインターリーブ部分をエンコードするときに、フィンガープリンティング磁気共鳴データの第１及び第２の部分がエンコードされ得る、いくつかのやり方を説明するものである。
【００３６】
別の実施形態では、磁気共鳴イメージングシステムによりタグ付け反転パルス部を実行することで、タグ付きマグニチュード画像においてタグ付け磁化移動効果がもたらされる。磁気共鳴イメージングシステムによりコントロール反転パルス部を実行することで、コントロールマグニチュード画像においてコントロール磁化移動効果がもたらされる。タグ付け磁化移動効果は、コントロール磁化移動効果によって、動脈画像から減算される。
【００３７】
別の実施形態では、ＡＳＬ画像は脳血流マップを含む。磁気共鳴フィンガープリンティング辞書は、脳血流の関数である。
【００３８】
機械実行可能命令の実行により、プロセッサは、少なくとも１つの磁気共鳴パラメトリックマップの決定中に、脳血流を磁気共鳴フィンガープリンティング辞書に提供するために、脳血流マップを使用する。脳血流マップは、脳血流の１ピクセル当たりの値を取得するために使用され、次いで脳血流は磁気共鳴フィンガープリンティング辞書への入力値として使用される。したがって、磁気共鳴フィンガープリンティング辞書は、脳血流の関数として予め計算することができる。これは、動脈スピンラベリング撮像中の磁気共鳴フィンガープリンティングの改善をもたらす。
【００３９】
別の実施形態では、磁気共鳴パラメトリックマップは、Ｔ２マップ、Ｔ１マップ、平均通過時間（ＭＴＴ：Ｍｅａｎ  Ｔｒａｎｓｉｔ  Ｔｉｍｅ）マップ、及びそれらの組み合わせのうちのいずれか１つを含む。ＭＴＴマップは、一定のボリュームの血液が、大脳毛細血管の循環の中でスピンする時間の長さの空間依存マッピングと定義される。
【００４０】
別の態様では、本発明は、磁気共鳴イメージングシステムを制御するプロセッサによって実行される、機械実行可能命令を含む、コンピュータプログラムプロダクトを提供する。機械実行可能命令の実行により、プロセッサは、タグ付けパルスシーケンスコマンドを用いて、磁気共鳴イメージングシステムを制御することによって、タグ付き磁気共鳴データ及びフィンガープリンティング磁気共鳴データの第１の部分を取得する。タグ付けパルスシーケンスコマンドは、対象者内のタグ付け位置をスピンラベリングするための、タグ付け反転パルス部を含む。タグ付けパルスシーケンスコマンドは、バックグラウンド抑制部を含む。バックグラウンド抑制部は、磁気共鳴フィンガープリンティングプロトコルに従ってフィンガープリンティング磁気共鳴データを取得するための、ＭＲＦパルスシーケンスコマンドを含む。
【００４１】
タグ付けパルスシーケンスコマンドは、画像取得部を含む。機械実行可能命令の実行により、プロセッサは更に、コントロールパルスシーケンスコマンドを用いて、磁気共鳴イメージングシステムを制御することによって、コントロール磁気共鳴データ及びフィンガープリンティング磁気共鳴データの第２の部分を取得する。コントロールパルスシーケンスコマンドは、コントロール反転パルス部を含む。コントロールパルスシーケンスコマンドは、バックグラウンド抑制部を含む。コントロールパルスシーケンスコマンドは、画像取得部を含む。機械実行可能命令の実行により、プロセッサは更に、タグ付き磁気共鳴データを使用して、タグ付きマグニチュード画像を再構成する。機械実行可能命令の実行により、プロセッサは更に、コントロール磁気共鳴データを使用して、コントロールマグニチュード画像を再構成する。機械実行可能命令の実行により、プロセッサは更に、コントロールマグニチュード画像とタグ付きマグニチュード画像とを互いから減算することによって、ＡＳＬ画像を構成する。
【００４２】
機械実行可能命令の実行により、プロセッサは更に、フィンガープリンティング磁気共鳴データの第１の部分及び／又はフィンガープリンティング磁気共鳴データの第２の部分を使用して、一連の磁気共鳴フィンガープリンティング画像を再構成する。機械実行可能命令の実行により、プロセッサは更に、一連の磁気共鳴フィンガープリンティング画像を磁気共鳴フィンガープリンティング辞書と比較することによって、少なくとも１つの磁気共鳴パラメトリックマップを生成する。
【００４３】
別の態様では、本発明は、対象者を撮像するための磁気共鳴イメージングシステムを操作する方法を提供する。この方法は、タグ付けパルスシーケンスコマンドを用いて、磁気共鳴イメージングシステムを制御することによって、タグ付き磁気共鳴データ及びフィンガープリンティング磁気共鳴データの第１の部分を取得するステップを有する。タグ付けパルスシーケンスコマンドは、対象者内のタグ付け位置をスピンラベリングするための、タグ付け反転パルス部を含む。タグ付けパルスシーケンスコマンドは、バックグラウンド抑制部を含む。バックグラウンド抑制部は、磁気共鳴フィンガープリンティングプロトコルに従ってフィンガープリンティング磁気共鳴データを取得するための、ＭＲＦパルスシーケンスコマンドを含む。タグ付けパルスシーケンスコマンドは、画像取得部を含む。
【００４４】
この方法は更に、コントロールパルスシーケンスコマンドを用いて、磁気共鳴イメージングシステムを制御することによって、コントロール磁気共鳴データ及びフィンガープリンティング磁気共鳴データの第２の部分を取得するステップを有する。コントロールパルスシーケンスコマンドは、コントロール反転パルス部を含む。コントロールパルスシーケンスコマンドは、バックグラウンド抑制部を含む。コントロールパルスシーケンスコマンドは、画像取得部を含む。この方法は更に、タグ付き磁気共鳴データを使用して、タグ付きマグニチュード画像を再構成するステップを有する。この方法は更に、コントロール磁気共鳴データを使用して、コントロールマグニチュード画像を再構成するステップを有する。
【００４５】
この方法は更に、コントロールマグニチュード画像とタグ付きマグニチュード画像とを互いから減算することによって、ＡＳＬ画像を構成するステップを有する。コントロールマグニチュード画像及びタグ付きマグニチュード画像は、単一のコントロールマグニチュード画像及び単一のタグ付きマグニチュード画像の対として生成される。対応する対である、単一のコントロールマグニチュード画像及び単一のタグ付きマグニチュード画像が、互いから減算される。次いで、ＡＳＬ画像は、こうした画像の対の多くを合計又は平均することによって、構成される。別法として、コントロールマグニチュード画像は、平均コントロールマグニチュード画像を形成するために、平均化又は合計することができ、タグ付きマグニチュード画像は、平均タグ付きマグニチュード画像を形成するために、平均化又は合計することができる。この別法では、次いで、ＡＳＬ画像は、平均コントロールマグニチュード画像と平均タグ付きマグニチュード画像とを減算することによって、構成することができる。
【００４６】
この方法は更に、フィンガープリンティング磁気共鳴データの第１の部分及び／又はフィンガープリンティング磁気共鳴データの第２の部分を使用して、一連の磁気共鳴フィンガープリンティング画像を再構成するステップを有する。この方法は更に、一連の磁気共鳴フィンガープリンティング画像を、磁気共鳴フィンガープリンティング辞書と比較することによって、少なくとも１つの磁気共鳴パラメトリックマップを生成するステップを有する。
【００４７】
当業者には理解されるように、本発明の態様は、装置、方法又はコンピュータプログラムプロダクトとして具体化され得る。したがって、本発明の態様は、全面的にハードウェア実施形態、全面的にソフトウェア実施形態（ファームウェア、常駐ソフトウェア、マイクロコード等を含む）又は本明細書において全て一般的に「回路」、「モジュール」若しくは「システム」と称され得るソフトウェア及びハードウェア態様を組み合わせた実施形態の形態をとり得る。更に、本発明の態様は、コンピュータ可読媒体上で具現化されたコンピュータ実行可能コードを有する１つ又は複数のコンピュータ可読媒体において具体化されたコンピュータプログラムプロダクトの形態をとり得る。
【００４８】
１つ又は複数のコンピュータ可読媒体の任意の組み合わせが利用されてもよい。コンピュータ可読媒体は、コンピュータ可読信号媒体又はコンピュータ可読ストレージ媒体でもよい。本明細書で使用される「コンピュータ可読ストレージ媒体」は、コンピューティングデバイスのプロセッサによって実行可能な命令を保存することができる任意の有形ストレージ媒体を包含する。コンピュータ可読ストレージ媒体は、コンピュータ可読非一時的ストレージ媒体と称される場合もある。コンピュータ可読ストレージ媒体はまた、有形コンピュータ可読媒体と称される場合もある。一部の実施形態では、コンピュータ可読ストレージ媒体はまた、コンピューティングデバイスのプロセッサによってアクセスされることが可能なデータを保存可能であってもよい。コンピュータ可読ストレージ媒体の例は、フロッピー（登録商標）ディスク、磁気ハードディスクドライブ、半導体ハードディスク、フラッシュメモリ、ＵＳＢサムドライブ、ランダムアクセスメモリ（ＲＡＭ）、読み取り専用メモリ（ＲＯＭ）、光ディスク、磁気光学ディスク、及びプロセッサのレジスタファイルを含むが、これらに限定されない。光ディスクの例は、例えば、ＣＤ−ＲＯＭ、ＣＤ−ＲＷ、ＣＤ−Ｒ、ＤＶＤ−ＲＯＭ、ＤＶＤ−ＲＷ、又はＤＶＤ−Ｒディスクといったコンパクトディスク（ＣＤ）及びデジタル多用途ディスク（ＤＶＤ）を含む。コンピュータ可読ストレージ媒体という用語は、ネットワーク又は通信リンクを介してコンピュータデバイスによってアクセスされることが可能な様々な種類の記録媒体も指す。例えば、データは、モデムによって、インターネットによって、又はローカルエリアネットワークによって読み出されてもよい。コンピュータ可読媒体上で具現化されたコンピュータ実行可能コードは、限定されることはないが、無線、有線、光ファイバケーブル、ＲＦ等を含む任意の適切な媒体、又は上記の任意の適切な組み合わせを用いて送信されてもよい。
【００４９】
コンピュータ可読信号媒体は、例えばベースバンドにおいて又は搬送波の一部として内部で具体化されたコンピュータ実行可能コードを備えた伝搬データ信号を含んでもよい。このような伝搬信号は、限定されることはないが電磁気、光学的、又はそれらの任意の適切な組み合わせを含む様々な形態のいずれかをとり得る。コンピュータ可読信号媒体は、コンピュータ可読ストレージ媒体ではない及び命令実行システム、装置、若しくはデバイスによって又はそれと関連して使用するためのプログラムを通信、伝搬、若しくは輸送できる任意のコンピュータ可読媒体でもよい。
【００５０】
「コンピュータメモリ」又は「メモリ」は、コンピュータ可読ストレージ媒体の一例である。コンピュータメモリは、プロセッサに直接アクセス可能な任意のメモリである。「コンピュータストレージ」又は「ストレージ」は、コンピュータ可読ストレージ媒体の更なる一例である。コンピュータストレージは、任意の揮発性又は不揮発性コンピュータ可読ストレージ媒体である。
【００５１】
本明細書で使用される「プロセッサ」は、プログラム、マシン実行可能命令、又はコンピュータ実行可能コードを実行可能な電子コンポーネントを包含する。「プロセッサ」を含むコンピューティングデバイスへの言及は、場合により、２つ以上のプロセッサ又は処理コアを含むと解釈されるべきである。プロセッサは、例えば、マルチコアプロセッサである。プロセッサは、また、単一のコンピュータシステム内の、又は複数のコンピュータシステムの中へ分配されたプロセッサの集合体も指す。コンピュータデバイスとの用語は、各々が１つ又は複数のプロセッサを有するコンピュータデバイスの集合体又はネットワークを指してもよいと理解されるべきである。コンピュータ実行可能コードは、同一のコンピュータデバイス内の、又は複数のコンピュータデバイス間に分配された複数のプロセッサによって実行される。
【００５２】
コンピュータ実行可能コードは、本発明の態様をプロセッサに行わせるマシン実行可能命令又はプログラムを含んでもよい。本発明の態様に関する動作を実施するためのコンピュータ実行可能コードは、Ｊａｖａ（登録商標）、Ｓｍａｌｌｔａｌｋ、又はＣ＋＋等のオブジェクト指向プログラミング言語及びＣプログラミング言語又は類似のプログラミング言語等の従来の手続きプログラミング言語を含む１つ又は複数のプログラミング言語の任意の組み合わせで書かれてもよい及びマシン実行可能命令にコンパイルされてもよい。場合によっては、コンピュータ実行可能コードは、高水準言語の形態又は事前コンパイル形態でもよい及び臨機応変にマシン実行可能命令を生成するインタプリタと共に使用されてもよい。
【００５３】
コンピュータ実行可能コードは、完全にユーザのコンピュータ上で、部分的にユーザのコンピュータ上で、スタンドアローンソフトウェアパッケージとして、部分的にユーザのコンピュータ上で及び部分的にリモートコンピュータ上で、又は完全にリモートコンピュータ若しくはサーバ上で実行することができる。後者の場合、リモートコンピュータは、ローカルエリアネットワーク（ＬＡＮ）若しくは広域ネットワーク（ＷＡＮ）を含む任意の種類のネットワークを通してユーザのコンピュータに接続されてもよい、又はこの接続は外部コンピュータに対して（例えば、インターネットサービスプロバイダを使用したインターネットを通して）行われてもよい。
【００５４】
本発明の態様は、本発明の実施形態による方法、装置（システム）及びコンピュータプログラムプロダクトのフローチャート、図及び／又はブロック図を参照して説明される。フローチャート、図、及び／又はブロック図の各ブロック又は複数のブロックの一部は、適用できる場合、コンピュータ実行可能コードの形態のコンピュータプログラム命令によって実施され得ることが理解されよう。相互排他的でなければ、異なるフローチャート、図、及び／又はブロック図におけるブロックの組み合わせが組み合わせられてもよいことが更に理解される。これらのコンピュータプログラム命令は、コンピュータ又は他のプログラム可能データ処理装置のプロセッサを介して実行する命令がフローチャート及び／又はブロック図の１つ又は複数のブロックにおいて指定された機能／行為を実施するための手段を生じさせるようにマシンを作るために、汎用コンピュータ、特定用途コンピュータ、又は他のプログラム可能データ処理装置のプロセッサへと提供されてもよい。
【００５５】
これらのコンピュータプログラム命令はまた、コンピュータ可読媒体に保存された命令がフローチャート及び／又はブロック図の１つ又は複数のブロックにおいて指定された機能／行為を実施する命令を含む製品を作るように、コンピュータ、他のプログラム可能データ処理装置、又は他のデバイスにある特定の方法で機能するように命令することができるコンピュータ可読媒体に保存されてもよい。
【００５６】
コンピュータプログラム命令はまた、コンピュータ又は他のプログラム可能装置上で実行する命令がフローチャート及び／又はブロック図の１つ又は複数のブロックにおいて指定された機能／行為を実施するためのプロセスを提供するように、一連の動作ステップがコンピュータ、他のプログラム可能装置又は他のデバイス上で行われるようにすることにより、コンピュータ実施プロセスを生じさせるために、コンピュータ、他のプログラム可能データ処理装置、又は他のデバイス上にロードされてもよい。
【００５７】
本明細書で使用される「ユーザインタフェース」は、ユーザ又はオペレータがコンピュータ又はコンピュータシステムとインタラクトすることを可能にするインタフェースである。「ユーザインタフェース」は、「ヒューマンインタフェースデバイス」と称される場合もある。ユーザインタフェースは、情報若しくはデータをオペレータに提供することができる及び／又は情報若しくはデータをオペレータから受信することができる。ユーザインタフェースは、オペレータからの入力がコンピュータによって受信されることを可能にしてもよい及びコンピュータからユーザへ出力を提供してもよい。つまり、ユーザインタフェースはオペレータがコンピュータを制御する又は操作することを可能にしてもよい、及びインタフェースはコンピュータがオペレータの制御又は操作の結果を示すことを可能にしてもよい。ディスプレイ又はグラフィカルユーザインタフェース上のデータ又は情報の表示は、情報をオペレータに提供する一例である。キーボード、マウス、トラックボール、タッチパッド、指示棒、グラフィックタブレット、ジョイスティック、ゲームパッド、ウェブコム、ヘッドセット、ペダル、有線グローブ、リモコン、及び加速度計を介したデータの受信は、オペレータから情報又はデータの受信を可能にするユーザインタフェース要素の全例である。
【００５８】
本明細書で使用される「ハードウェアインタフェース」は、コンピュータシステムのプロセッサが外部コンピューティングデバイス及び／又は装置とインタラクトする及び／又はそれを制御することを可能にするインタフェースを包含する。ハードウェアインタフェースは、プロセッサが外部コンピューティングデバイス及び／又は装置へ制御信号又は命令を送ることを可能にしてもよい。ハードウェアインタフェースはまた、プロセッサが外部コンピューティングデバイス及び／又は装置とデータを交換することを可能にしてもよい。ハードウェアインタフェースの例は、ユニバーサルシリアルバス、ＩＥＥＥ１３９４ポート、パラレルポート、ＩＥＥＥ１２８４ポート、シリアルポート、ＲＳ−２３２ポート、ＩＥＥＥ４８８ポート、ブルートゥース（登録商標）接続、無線ＬＡＮ接続、ＴＣＰ／ＩＰ接続、イーサネット（登録商標）接続、制御電圧インタフェース、ＭＩＤＩインタフェース、アナログ入力インタフェース、及びデジタル入力インタフェースを含むが、これらに限定されない。
【００５９】
本明細書で使用される「ディスプレイ」又は「ディスプレイデバイス」は、画像又はデータを表示するために構成された出力デバイス又はユーザインタフェースを包含する。ディスプレイは、視覚、音声、及び／又は触覚データを出力してもよい。ディスプレイの例は、コンピュータモニタ、テレビスクリーン、タッチスクリーン、触覚電子ディスプレイ、点字スクリーン、陰極線管（ＣＲＴ）、蓄積管、双安定ディスプレイ、電子ペーパー、ベクターディスプレイ、平面パネルディスプレイ、真空蛍光ディスプレイ（ＶＦ）、発光ダイオード（ＬＥＤ）ディスプレイ、エレクトロルミネッセントディスプレイ（ＥＬＤ）、プラズマディスプレイパネル（ＰＤＰ）、液晶ディスプレイ（ＬＣＤ）、有機発光ダイオードディスプレイ（ＯＬＥＤ）、プロジェクタ、及びヘッドマウントディスプレイを含むが、これらに限定されない。
【００６０】
磁気共鳴（ＭＲ）データは、本明細書においては、磁気共鳴イメージングスキャン中に磁気共鳴装置のアンテナによって原子スピンにより発せられた無線周波数信号の記録された測定結果として定義される。磁気共鳴データは、医療イメージングデータの一例である。磁気共鳴（ＭＲ）画像は、本明細書においては、磁気共鳴イメージングデータ内に含まれる解剖学的データの再構成された２次元又は３次元視覚化として定義される。
【００６１】
本発明の上述の実施形態のうちの１つ又は複数は、組み合わせられた実施形態が相互排他的でない限り、組み合わせられることを理解されたい。
【００６２】
以下において、本発明の好適な実施形態が、単なる例として次の図面を参照して説明される。
【図面の簡単な説明】
【００６３】
【図１】タグ付けパルスシーケンスコマンドの一例を示す図である。
【図２】コントロールパルスシーケンスコマンドの一例を示す図である。
【図３】バックグラウンド抑制部に対する複数の繰り返しパルスのための、ＲＦパルスの振幅の例を示す図である。
【図４】バックグラウンド抑制部に対する複数の繰り返しパルスのための、ＲＦパルスの振幅の、別の例を示す図である。
【図５】バックグラウンド抑制部に対する複数の繰り返しパルスのための、ＲＦパルスの振幅の、別の例を示す図である。
【図６】磁気共鳴イメージングシステムの例を示す図である。
【図７】図６の磁気共鳴イメージングシステムを、操作する方法を説明する流れ図である。
【発明を実施するための形態】
【００６４】
図において似通った参照番号を付された要素は、等価な要素であるか、同じ機能を実行するかのいずれかである。先に考察された要素は、機能が等価である場合は、後の図においては必ずしも考察されない。
【００６５】
磁気共鳴フィンガープリンティング（ＭＲＦ）は、Ｔ１及びＴ２などの、組織パラメータの時間効率的な定量化のための、有望な技法である。関心のある組織を、主磁場に対して変化するフリップ角（ＦＡ：ｆｌｉｐ  ａｎｇｌｅ）を誘導する一連のＲＦパルスにさらすことによって、各ボクセルに対する特徴的な信号又は「フィンガープリント」が得られる。次いで、こうしたフィンガープリントは、各ボクセルの組織パラメータを生み出す、可能性のある全ての信号展開の辞書と比較することができる。
【００６６】
例は、動脈スピンラベリング（ＡＳＬ）の技法と組み合わせることによって、灌流情報を含むようにＭＲＦを拡張する。ＡＳＬでは、頭頸部の大動脈の血中水分のプロトンが、磁気反転によってラベリングされ、ラベリングされた血液が撮像領域に流入するのに必要な１秒から２秒の遅延の後に、脳組織中の信号が得られる。ラベリングなしで実験を繰り返すことによって、いわゆるコントロール画像が得られる。ラベリングされた画像とコントロール画像とを減算することにより、灌流強調画像が得られる。一般的な動態モデルなどの生理学的モデルを使用して、脳血流（ＣＢＦ：Ｃｅｒｅｂｒａｌ  Ｂｌｏｏｄ  Ｆｌｏｗ）などの定量的情報を得ることができる。たいていのＡＳＬプロトコルにおいて、この減算のダイナミックレンジを減少させるために、適切なバックグラウンド抑制パルスが、ラベリングされた画像とコントロール画像の両方に適用される。
【００６７】
従来のＡＳＬの技法では、ラベリング後の遅延はアイドル時間であり、すなわちスキャナはデータをエンコード又は取得しない。こうした技法の全体的な走査時間は、潜在的に、追加の情報を取得するためにより効率的に使用され得る。
【００６８】
ＡＳＬとＭＲＦとを併用するための以前に提案された手法では、組織のスピンシステムのための反転パルスがないことで、緩和パラメータの効率的なエンコードが妨げられた。全体として、Ｔ１、ＣＢＦ、及び平均動脈通過時間（ＭＴＴ）マッチングの精度は限られているように見えた。更に、ラベリング期間の変動は、患者に依存する動脈流の速度のために、ラベリング条件が完全には予測可能ではなくなるという結果をもたらす。
【００６９】
例は、従来のＡＳＬと、Ｔ１及びＴ２パラメータを定量化するために使用される、変化する低ＦＡパターンとの、インターリーブされた組み合わせからなる、ＡＳＬとＭＲＦとの組み合わされたシーケンスを提供し、基本のＡＳＬシーケンスはほとんど変わらない。
【００７０】
従来使用されてきたバックグラウンド抑制パルスは、変化する低フリップ角を有する一連のＲＦパルスによって、置き換えられるか又は拡張される。これにより、イメージングボリューム内の静止組織のバックグラウンド抑制を達成することが可能になり、同時に後に続くＭＲＦ分析のために、ボクセルをエンコードすることが可能になる。
【００７１】
ＡＳＬラベリング及びデータ取得の構造は実質的に変更されないままであるので、ＡＳＬデータの分析は、検査された組織のＣＢＦマップをもたらす標準的な方法を使用して実行され得る。このデータを先験的な情報として使用して、次いでＭＲＦデータを分析して、Ｔ１、Ｔ２、及びＭＴＴのマップを得る。
【００７２】
ＡＳＬ−ＭＲＦシーケンスの例は、以下の図１及び図２に示される。最初のフェーズ（タグ付け反転部１０２又はコントロール反転パルス部２０２）では、従来のラベリング、例えば、ｐＣＡＳＬが、関心ボリューム（ＶＯＩ）又は関心領域１０９の遠位で実行され、脳の主要な供給血管内の血中水分のスピンを反転させる。このラベリングとＡＳＬデータの取得との間の遅延時間において、関心組織は、ＭＲＦの以前の実装形態と同様に、変化するＦＡを有する一連のＲＦパルスを受ける。次のＡＳＬ取得において、静止組織のスピンのバックグラウンド抑制を容易にするために、いくつかの反転パルスが含まれる。更に、こうした反転パルスは、ＭＲＦデータ内の緩和パラメータのエンコードをかなり改善する。ＲＦパルス列による、流入するラベリングされた（反転された）血中水分スピンの飽和を回避するために、低いＦＡのみが使用される。
【００７３】
図１は、タグ付けパルスシーケンスコマンド１００の一例を示す。タグ付けパルスシーケンスコマンドは、バックグラウンド抑制部１０４が後に続く、タグ付け反転パルス部分１０２を含む。バックグラウンド抑制部１０４の後に、画像取得部１０６がある。図１に示されるパルスシーケンス１００は、バックグラウンド抑制部分１０４の間に、追加の低フリップ角無線周波数パルス及びデータ取得が得られ、したがってバックグラウンド抑制部１０４の間に、磁気共鳴フィンガープリンティングが実行されることを除いて、従来のＡＳＬ、すなわち動脈スピンラベリングパルスシーケンスと同様である。タグ付け反転パルス部分１０２の間、領域が、従来の動脈スピンラベリング磁気共鳴イメージングプロトコルで一般的に実行されているように、タグ付けされる。同様に、画像取得部１０６の間に、動脈スピンラベリングされた画像を生成するために使用されるタグ付き磁気共鳴データが取得される。タグ付け反転パルス部分１０２は、ラベリング期間１０８（この例では１２９０ｍｓ）続く。次いで、タグ付き磁気共鳴データが画像取得部１０６の間に取得される前に、ラベリング後の遅延１１０（この例では１７１０ｍｓ）がある。ラベリング後の遅延１１０の間に、バックグラウンド抑制が実行され、また磁気共鳴フィンガープリンティングデータ収集も行われる。こうしたステップは両方とも、バックグラウンド抑制部１０４において組み合わされる。
【００７４】
図２は、１組のコントロールパルスシーケンスコマンド２００の一例を示す。コントロールパルスシーケンスコマンド２００は、図１に示すタグ付けパルスシーケンスコマンド１００と同様である。この場合、タグ付け反転パルス部１０２は、コントロール反転パルス部２０２に置き換えられる。コントロール反転部２０２の間、スピンの実際のラベリングはない。コントロール反転部２０２は、従来の動脈スピンラベリングプロトコルにおいて典型的な形に設計されている。コントロール反転部２０２は、タグ付け反転パルス部１０２によって引き起こされる磁化移動効果と同程度の磁化移動効果をもたらすように設計される。これにより、結果として生じる、動脈スピンラベル画像における磁化移動効果を減算することが可能になる。
【００７５】
図２のバックグラウンド抑制部１０４’は、図１に示すバックグラウンド抑制部１０４と同一である。他の場合において、磁気共鳴フィンガープリンティングデータのサンプリング中の勾配が、わずかに相異なる勾配を有し、したがって取得されるｋ空間データが、異なる箇所から取得されるように、バックグラウンド抑制部１０４’はわずかな相違を有する。これにより、バックグラウンド抑制部１０４及びバックグラウンド抑制部１０４’の間に取得されたデータを、インターリーブすることができる。
【００７６】
以下の図３乃至図５は、組織信号の効率的な抑制、並びに緩和パラメータの十分なエンコードを実現する、２つの例示的なパターンを示す。
【００７７】
ＡＳＬ及びＭＲＦデータ取得のために、例えば、単一ショットの２Ｄエコープラナーイメージング（ＥＰＩ：ｅｃｈｏ−ｐｌａｎａｒ  ｉｍａｇｉｎｇ）又は螺旋状読出しが使用される。ＡＳＬ読出しには、２Ｄ  ＥＰＩ及び螺旋状読出しが最もよく使用される。ただし、ＭＲＦパルスシーケンスコマンドの場合、螺旋状、デカルト、及び半径方向を含む、ほとんど全ての読出しが可能である。ＡＳＬデータの定量分析を可能にするために、血中水分スピンの事前のラベリングなしに、シーケンス全体を繰り返すことによって、コントロール画像が取得される。確実で効率的なバックグラウンド抑制のために、同じＦＡパターンがラベル画像及びコントロール画像の両方に採用される。しかし例えば、螺旋状ＭＲＦ読出しの場合には、２つの相異なるインターリーブを取得することができ、したがって、結果として得られる全体的なアンダーサンプリングの程度を低減する。これはまた、他の読出し方式についても可能である。デカルト読出しでは、例えば、ｋ空間内の異なる線を取得し、次いで合成して最終画像を形成することができる。
【００７８】
取得したデータの分析は、２段階の手順で構成される。第１のステップでは、取得したＡＳＬデータを、例えば一般的な動態モデルを使用して分析し、脳組織の定量的ＣＢＦマップを得る。このボクセルごとのフロー情報を固定パラメータとして使用し、次いでＭＲＦデータは、Ｔ１、Ｔ２、及びＭＴＴの変化する値を有する辞書を使用して分析される。
【００７９】
図３は、バックグラウンド抑制部１０４、１０４’の一部を示す。勾配は、図示していない。しかし、パルス繰り返し３０２の関数としてのフリップ角３００を図示している。フリップ角３００は、特定の無線周波数パルスによって引き起こされるフリップ角である。図３のプロットにおけるＲＦパルスは、バックグラウンド抑制パルスシーケンスコマンド３０４とＭＲＦパルスシーケンスコマンド３０６とに分割することができる。バックグラウンド抑制パルスシーケンスコマンド３０４は、動脈スピンラベリングにおいて知られている、バックグラウンド抑制に使用される比較的大きなフリップ角（フリップ角を生じさせるＲＦパルス）である。更に、いくつかのより小さいフリップ角パルスの繰り返しが追加された。これらは３０６と付番されている。バックグラウンド抑制部１０４、１０４’は、標準のＡＳＬバックグラウンド抑制部から始めることで、設計され得る。次いで、ＭＲＦパルスシーケンスコマンド３０６が、標準のバックグラウンド抑制部に追加される。低フリップ角ＭＲＦパルスシーケンスコマンド３０６は、バックグラウンド抑制に影響を及ぼす。バックグラウンド抑制パルスシーケンスコマンド３０４の期間は、この効果を考慮して、経験的に調整される。この効果にも適応するように、バックグラウンド抑制パルスシーケンスコマンド３０４の振幅又はフリップ角を調整することもまた可能である。
【００８０】
ある例では、磁気共鳴フィンガープリンティングは、ＭＲＦパルスシーケンスコマンド３０６を使用することでのみ、実行される。他の例では、バックグラウンド抑制パルスシーケンスコマンド３０４及びＭＲＦパルスシーケンスコマンド３０６の両方が、磁気共鳴フィンガープリンティングプロトコルのために使用される。
【００８１】
図４は、代替のバックグラウンド抑制部１０４、１０４’を示す。図４に示すバックグラウンド抑制部１０４、１０４’は、図３に示すものと同様である。しかし、ＭＲＦパルスシーケンスコマンド３０６は、異なるパターンのフリップ角を有する。
【００８２】
図５は、バックグラウンド抑制部１０４、１０４’の更なる例を示す。図５に示す例は、図４に示す例と同様である。この例では、最後のＭＲＦパルスシーケンスコマンド３０６は存在しない。これにより、最後のＭＲＦパルスシーケンスコマンド３０６と画像取得部１０６の開始との間に、遅延５００が導入される。ある例では、この遅延は、動脈スピンラベリングのための画像取得に対する、ＭＲＦパルスシーケンスコマンド３０６の影響を低減するのに有用である。
【００８３】
一例では、タグ付け反転パルス部は、ＡＳＬ（ＰＡＳＬ）反転パルスを含み、ここで、血中水分スピンの大きな一群が、関心組織の下で反転される。ｐＣＡＳＬと比較すると、ＡＳＬデータにおいてより低いＳＮＲを示す一方で、かかる方式は、組織内へのラベリングされた血液の到着前に、ＭＲＦフェーズにおける可変ＦＡパターンのための時間をより多く残す。
【００８４】
一例では、流入するラベリングされた血液の飽和を回避するために、ＭＲＦ取得フェーズとＡＳＬ取得フェーズとの間に、遅延が挿入される。
【００８５】
一例では、ＭＲＦ読出しのＦＡパターンは、具体的には、血管造影データの抽出を可能にするように設計されている。この目的のためには、比較的小さいＦＡ（例えば７°以下）が有益である。
【００８６】
図６は、磁気共鳴イメージングシステム５００の一例を示す。磁気共鳴イメージングシステム５００は、磁石５０４を含む。磁石５０４は、それを貫通する孔５０６を有する超伝導円筒型磁石５０４である。様々な種類の磁石がまた、使用可能である。円筒形磁石のクライオスタットの内側には、超伝導コイルの集まりがある。円筒形磁石５の孔５０６内には、磁界が磁気共鳴イメージングを実行するのに十分に強く且つ十分に均一である、撮像領域５０８がある。
【００８７】
磁石のボア５０６内には、磁石５０４のイメージングゾーン５０８内で磁気スピンを空間的に符号化するために、磁気共鳴データの取得のために使用される磁場勾配コイル５１０のセットもある。磁場勾配コイル５１０は、磁場勾配コイル電源５１２に接続される。磁場勾配コイル５１０は代表的なものであることが意図される。一般的に、磁場勾配コイル５１０は、３つの直交空間方向で空間的に符号化するためのコイルの３つの別個のセットを含む。磁場勾配電源は、電流を磁場勾配コイルに供給する。磁場勾配コイル５１０に供給される電流は、時間の関数として制御され、ランプされるか又はパルス化される。
【００８８】
撮像領域５０８に隣接して、撮像領域５０８内の磁気スピンの向きを操作し、また撮像領域５０８内でもスピンからの無線送信を受信するための、無線周波数コイル５１４がある。無線周波数アンテナは、複数のコイル要素を含む。無線周波数アンテナはまた、チャネル又はアンテナとも呼ばれる。無線周波数コイル５１４は、無線周波数トランシーバ５１６に接続されている。無線周波数コイル５１４及び無線周波数トランシーバ５１６は、別々の送信及び受信コイル、並びに別々の送信機及び受信機によって置き換えられてもよい。無線周波数コイル５１４及び無線周波数トランシーバ５１６は、代表的なものであることが理解されよう。無線周波数コイル５１４はまた、専用送信アンテナ及び専用受信アンテナを表すことを意図している。同様に、トランシーバ５１６はまた、別々の送信機及び受信機を表してもよい。無線周波数コイル５１４はまた、複数の受信／送信要素を備えてもよく、無線周波数トランシーバ５１６は複数の受信／送信チャネルを有してもよい。
【００８９】
磁石５０４の孔５０６内には、撮像領域５０８内で対象者を支持する、対象者支持体５２０がある。関心領域５０９は、撮像領域５０８内に見ることができる。
【００９０】
トランシーバ６１６及び磁場勾配コイルの電源６１２は、コンピュータシステム６３０のハードウェアインタフェース６３２に接続されていると見ることができる。コンピュータシステムは、ハードウェアインタフェース６３２と通信するプロセッサ６３４、メモリ６３８、及びユーザインタフェース６３６を更に含む。メモリ６３８（コンピュータメモリとも呼ばれる）は、プロセッサ６３４にアクセス可能なメモリの任意の組み合わせである。これには、メインメモリ、キャッシュメモリ、更にはフラッシュＲＡＭ、ハードドライブ、又はその他の記憶装置などの不揮発性メモリなどのものが含まれる。ある例では、メモリ６３４は、非一時的コンピュータ可読媒体であると解釈される。メモリ６３４は、プロセッサ６３２が、磁気共鳴イメージングシステム６００の動作及び機能を制御することを可能にする、機械実行可能命令６４０を格納するように示されている。
【００９１】
本明細書で使用されるパルスシーケンスコマンドは、時間の関数として磁気共鳴イメージングシステム６００の機能を制御するために使用されるコマンドに変換されるコマンド又はタイミング図を包含する。パルスシーケンスコマンドは、特定の磁気共鳴イメージングシステム６００に適用された磁気共鳴イメージングプロトコルの実装形態である。
【００９２】
関心領域６０９内に、タグ付け位置６２２を見ることができる。タグ付け位置は、タグ付け反転パルス部が、対象者６１８の動脈を通過する血液のボーラスをラベリングする位置である。この場合、関心領域６０９は、頭部を包囲するものとして示されている。この場合のタグ付け位置６２２は、平面である。したがって、タグ付けは非選択的であり、平面６２２を通過する血液は全てラベリングされることになる。対象者６１８の首の近くの、タグ付け位置６２２の平面の位置決めは、本質的に、対象者６１８の脳に入る全ての血液が効果的にタグ付けされることを意味する。図６に示す例は、非選択的タグ付けを示す。
【００９３】
コンピュータメモリ６３８は、タグ付けパルスシーケンスコマンド１００、及びバックグラウンドパルスシーケンスコマンド２００を含むように示されている。コンピュータメモリ６３８は、機械実行可能命令６４０を更に含むように示されている。機械実行可能命令６４０は、プロセッサ６３４が、磁気共鳴イメージングシステム６００の動作及び機能を制御することを可能にする。コンピュータメモリは更に、タグ付けパルスシーケンスコマンド１００が磁気共鳴イメージングシステム６００を制御するために使用されたときに取得された、タグ付き磁気共鳴データ６４２と、フィンガープリンティング磁気共鳴データの第１の部分６４４とを含むように示されている。コンピュータメモリ６３８は更に、プロセッサ６３４がバックグラウンドパルスシーケンスコマンド２００を使用して、磁気共鳴イメージングシステム６００を制御したときに取得された、コントロール磁気共鳴データ６４６と、フィンガープリンティング磁気共鳴データの第２の部分６４８とを含むように示されている。
【００９４】
コンピュータメモリ６３８は更に、タグ付き磁気共鳴データ６４２から再構成されたタグ付きマグニチュード画像６５０を含むように示されている。コンピュータメモリ６３８は更に、コントロール磁気共鳴データ６４６から再構成されたコントロールマグニチュード画像６５２を含むように示されている。コンピュータメモリ６３８は更に、タグ付きマグニチュード画像６５０とコントロールマグニチュード画像６５２とを、互いから減算することによって構成された、動脈スピンラベル磁気共鳴画像６５４を含むように示されている。コンピュータメモリ６３８は更に、フィンガープリンティング磁気共鳴データの第１の部分６４４及び／又はフィンガープリンティング磁気共鳴データの第２の部分６４８から再構成された、一連の磁気共鳴フィンガープリンティング画像６５６を含むように示されている。コンピュータメモリ６３８は更に、一連の磁気共鳴フィンガープリンティング画像６５６を、コンピュータメモリ６３８に格納されている磁気共鳴フィンガープリンティング辞書６６０と比較することによって計算された、磁気共鳴パラメトリックマップ６５８を含むように示されている。この図には示されていないが、メモリ６３８はまた、タグ付けパルスシーケンスコマンド１００及び／又はバックグラウンドパルスシーケンスコマンド２００を使用して、磁気共鳴フィンガープリンティング辞書６６０を計算するためのルーチン又はプログラムも含む。
【００９５】
図７は、図６の磁気共鳴イメージングシステム６００を、操作する方法を説明する流れ図を示す。最初にステップ７００において、タグ付き磁気共鳴データ６４２及びフィンガープリンティング磁気共鳴データの第１の部分６４４は、タグ付けパルスシーケンスコマンド１００を用いて、磁気共鳴イメージングシステムを制御することによって取得される。次に、ステップ６０２において、コントロールパルスシーケンスコマンド２００を用いて、磁気共鳴イメージングシステム６００を制御することによって、コントロール磁気共鳴データ６４６及びフィンガープリンティング磁気共鳴データの第２の部分６４８が取得される。ステップ７０４において、タグ付きマグニチュード画像６５０が、タグ付き磁気共鳴データ６４２を用いて再構成される。次いで、ステップ７０６において、コントロールマグニチュード画像６５２が、コントロール磁気共鳴データ６４６を用いて再構成される。次いで、ステップ７０８において、ＡＳＬ画像６５４は、コントロールマグニチュード画像６５２とタグ付きマグニチュード画像６５０とを、互いから減算することによって構成される。ステップ７１０において、一連の磁気共鳴フィンガープリンティング画像６５６が、フィンガープリンティング磁気共鳴データの第１の部分６４４及び／又はフィンガープリンティング磁気共鳴データの第２の部分６４８を使用して再構成される。最後にステップ７１２で、一連の磁気共鳴フィンガープリンティング画像６５６を磁気共鳴フィンガープリンティング辞書６６０と比較することによって、少なくとも１つの磁気共鳴パラメトリックマップ６５８が生成又は計算される。
【００９６】
本発明は、図面及び前述の記載において詳細に図示及び説明されたが、このような図示及び記載は、説明的又は例示的であって限定するものではないと見なされるべきである。すなわち本発明は、開示された実施形態に限定されるものではない。
【００９７】
開示された実施形態のその他の変形が、図面、本開示及び添付の請求項の検討から、請求項に係る発明を実施する当業者によって理解されて実現され得る。請求項において、「ｃｏｍｐｒｉｓｉｎｇ（含む、備える）」という単語は、他の要素又はステップを除外するものではなく、不定冠詞「ａ」又は「ａｎ」は、複数を除外するものではない。単一のプロセッサ又は他のユニットが請求項に記載されたいくつかのアイテムの機能を果たす。特定の手段が相互に異なる従属請求項に列挙されているという単なる事実は、これらの手段の組み合わせが有利に用いられないことを示すものではない。コンピュータプログラムは、他のハードウェアと共に若しくは他のハードウェアの一部として供給される光記憶媒体又はソリッドステート媒体等の適当な媒体に保存／分配されてもよいが、インターネット又は他の有線若しくは無線の電気通信システムを介して等の他の形式で分配されてもよい。請求項における任意の参照符号は、本発明の範囲を限定するものと解釈されるべきではない。
【符号の説明】
【００９８】
１００  タグ付けパルスシーケンスコマンド
１０２  タグ付け反転パルス部
１０４  バックグラウンド抑制部
１０４’  バックグラウンド抑制部
１０６  画像取得部
１０８  ラベリング期間
１１０  ラベリング後の遅延
２００  バックグラウンドパルスシーケンスコマンド
２０２  コントロール反転部
３００  フリップ角
３０２  パルス繰り返し
３０４  バックグラウンド抑制パルスシーケンスコマンド
３０６  ＭＲＦパルスシーケンスコマンド
５００  遅延
６００  磁気共鳴システム
６０４  磁石
６０６  磁石の孔
６０８  撮像領域
６０９  関心領域
６１０  磁場勾配コイル
６１２  磁場勾配コイルの電源
６１４  無線周波数コイル
６１６  トランシーバ
６１８  対象者
６２０  対象者支持体
６３０  コンピュータシステム
６３２  ハードウェアインタフェース
６３４  プロセッサ
６３８  コンピュータメモリ
６４０  機械実行可能命令
６４２  タグ付き磁気共鳴データ
６４４  フィンガープリンティング磁気共鳴データの第１の部分
６４６  コントロール磁気共鳴データ
６４８  フィンガープリンティング磁気共鳴データの第２の部分
６５０  タグ付きマグニチュード画像
６５２  コントロールマグニチュード画像
６５４  ＡＳＬ画像
６５６  一連の磁気共鳴フィンガープリンティング画像
６５８  磁気共鳴パラメトリックマップ
６６０  磁気共鳴フィンガープリンティング辞書
７００  タグ付けパルスシーケンスコマンドを用いて、磁気共鳴イメージングシステムを制御することによって、タグ付き磁気共鳴データ及びフィンガープリンティング磁気共鳴データの第１の部分を取得する
７０２  コントロールパルスシーケンスコマンドを用いて、磁気共鳴イメージングシステムを制御することによって、コントロール磁気共鳴データ及びフィンガープリンティング磁気共鳴データの第２の部分を取得する
７０４  タグ付き磁気共鳴データを使用して、タグ付きマグニチュード画像を再構成する
７０６  コントロール磁気共鳴データを使用して、コントロールマグニチュード画像を再構成する
７０８  コントロールマグニチュード画像とタグ付きマグニチュード画像とを、互いから減算することによって、ＡＳＬ画像を構成する
７１０  フィンガープリンティング磁気共鳴データの第１の部分及び／又はフィンガープリンティング磁気共鳴データの第２の部分を使用して、一連の磁気共鳴フィンガープリンティング画像を再構成する
７１２  一連の磁気共鳴フィンガープリンティング画像を磁気共鳴フィンガープリンティング辞書と比較することによって、少なくとも１つの磁気共鳴パラメトリックマップを生成する
【図１】
2019534748.tif 000003
【図２】
2019534748.tif 000004
【図３】
2019534748.tif 000005
【図４】
2019534748.tif 000006
【図５】
2019534748.tif 000007
【図６】
2019534748.tif 000008
【図７】
2019534748.tif 000009
【国際調査報告】
2019534748.tif 000010
2019534748.tif 000011
2019534748.tif 000012